(57)【要約】【課題】本発明は梱包対象の物品の大きさによって伸縮可能なそして再利用可能な梱包箱を提供することにある。【解決手段】底ケース２と、天ケース３とからなり、該底ケース２は上端が開口し、該開口部４周縁には外側へ折返し５が設けられ、該天ケース３は上下端が開口し、該上端開口部６には開閉蓋７が取付けられており、該下端開口部８周縁には内側へ折返し９が設けられ、該天ケース３を該底ケース２に外側嵌合して引上げた状態で、該底ケース２の折返し５と該天ケース３の折返し９とが係合して抜け止めされる梱包箱１を提供する。【選択図】    図１
2006306411.tif 000002
【特許請求の範囲】
【請求項１】
底ケースと、天ケースとからなり、該底ケースは上端が開口し、該開口部周縁には外側へ折返しが設けられ、該天ケースは上下端が開口し、該上端開口部には開閉蓋が取付けられており、該下端開口部周縁には内側へ折返しが設けられ、該天ケースを該底ケースに外側嵌合して引上げた状態で、該底ケースの折返しと該天ケースの折返しとが係合して抜け止めされることを特徴とする梱包箱。
【請求項２】
該天ケースの周壁には手掛け用切込みが設けられている請求項１に記載の梱包箱。
【請求項３】
該梱包箱はダンボールからなる請求項１または請求項２に記載の梱包箱。
【請求項４】
該梱包箱は簡易便器の包装に使用される請求項１〜３のいづれかに記載の梱包箱。
【発明の詳細な説明】
【技術分野】
【０００１】
本発明は例えば簡易便器の梱包に使用される梱包箱に関するものである。
【背景技術】
【０００２】
〔発明の背景〕
従来から、例えば冷蔵庫、洗濯機等の物品はダンボール箱に梱包されて保管、輸送されている。しかし物品が大型であったり、重量物であったりする場合には、該ダンボール箱から取出しにくいと云う問題がある。
【０００３】
〔従来の技術〕
この問題を解決するための手段として、例えばダンボール箱の側面に垂直方向のミシン目を設けたり（例えば特許文献１参照）、ダンボール箱の側面にカットテープを設けたりして（例えば特許文献２参照）物品を取出す時にはミシン目あるいはカットテープを介して側面を開口し、側面から取出す構成が提案されている。
【０００４】
【特許文献１】特許第２５６３３４７号公報
【特許文献２】特開平９−２６７８８８号公報
【発明の開示】
【発明が解決しようとする課題】
【０００５】
しかし上記従来構成では、ミシン目からダンボールを切断したり、カットテープによってダンボールを切断するために労力を有し手間がかゝる。
更には箱を切断してしまうと箱の再使用が出来なくなる。
また更には大型の物品とに一つの箱を共用することが出来ない。
【課題を解決するための手段】
【０００６】
本発明は上記従来の問題を解決するための手段として、底ケース２と、天ケース３とからなり、該底ケース２は上端が開口し、該開口部４周縁には外側へ折返し５が設けられ、該天ケース３は上下端が開口し、該上端開口部６には開閉蓋７が取付けられており、該下端開口部８周縁には内側へ折返し９が設けられ、該天ケース３を該底ケース２に外側嵌合して引上げた状態で、該底ケース２の折返し５と該天ケース３の折返し９とが係合して抜け止めされる梱包箱１を提供するものである。
該天ケース３の周壁には手掛け用切込み１０が設けられていることが望ましく、更に該梱包箱１はダンボールからなることが望ましい。
本発明の梱包箱１は特に簡易便器の包装に使用されて有用である。
【発明の効果】
【０００７】
〔作用〕
請求項１
底ケース２内に物品１１を収納し、その上から天ケース３を被せる（外側嵌合）が、この際該天ケース３の上端開口部６の開閉蓋７を開いておく。該天ケース３内に該物品１１を貫通状態で被せ、次いて該天ケース３を該底ケース２に対して引上げると、該底ケース２の折返し５と該天ケース３の折返し９とが係合して該天ケース３が該底ケース２から抜け出せないようになる。この状態で該天ケース３の上端開口部６の開閉蓋７を閉鎖する。
上記梱包方法は、該天ケース３を該底ケース２に対して引上げて両者の折返し５，９を係合させた伸長状態の高さが、梱包対象の物品の高さと略等しい場合に適用される。
該天ケース３を該底ケース２に最下位になるまで被せた状態の縮小状態は、この状態の高さが梱包対象の物品と略等しいか、あるいはそれよりも低くなる場合に適用される。
このように本発明の梱包箱１は物品１１の高さに応じて、伸長状態と、縮小状態の二つの使用態様を採用することが出来る。
【０００８】
請求項２
該天ケース３の周壁には手掛け用切込み１０が設けられていると、該天ケース３を該底ケース２に被せて引上げる時、該切込み１０を手掛りとして引上げ易くなる。
【０００９】
請求項３
ダンボールは軽量で機械的強度も大きくまた安価である。
【００１０】
請求項４
簡易便器１１は分解可能であり、該梱包箱１の縮小状態では分解状態の簡易便器１１を梱包して例えば部品工場から組立工場に送り、伸長状態では組立てた簡易便器１１を梱包して例えば組立工場から販売店に送る。
【発明を実施するための最良の形態】
【００１１】
本発明を図１〜図７に示す一実施例によって説明すれば、本実施例の梱包箱１は底ケース２と、天ケース３とからなり、該底ケース２にあっては上端に開口部４が設けられ、該開口部４の四周縁には外側へ折返し５が設けられている。更に該天ケース３は上下端が開口しており、該天ケース３の上端開口部６の四周縁には開閉蓋であるフラップ７が設けられ、また該天ケース３の下端開口部８の四周縁には内側へ折返し９が設けられている。更に該天ケース３の四側面には手掛け用切込み１０が設けられている。上記梱包箱１は、例えば軽量で機械的強度が大である紙ダンボールを材料として構成されるが、その他プラスチックダンボール、金属、木材等を材料としてもよい。
上記梱包箱１を図２に示す簡易便器１１の梱包に使用する例を以下に説明する。
【００１２】
図２に示す簡易便器１１は本体１２と、該本体１２の左右両側に取付けられているアームレスト１３、１３と、該本体１２の背面に取付けられている背もたれ１４と、該本体１２両側面下部に取付けられている脚部１５，１５とからなり、図３に示すように、本体１２と、アームレスト１３，１３と、背もたれ１４とに分解可能である。なお脚部１５，１５も本体１２から取はずすことが出来るが、梱包の場合にはそのまゝ取付けておく。
【００１３】
上記簡易便器１１は例えば部品工場においては、コンパクトな梱包が出来るように上記分解状態にして図４に示すようにアームレスト１３，１３を例えば紙ダンボール、ポリスチレンペーパー等のクッション性のある包装材１６で包装し、更に背もたれ１４を同様な包装材１７で包装する。そして図５に示すように、背もたれ包装１７を該底ケース２の底部に設置し、その上から本体１２を脚部１５、１５と共に底ケース２内に挿入し、更にその左右両側にアームレスト包装１６、１６を挿入し、その上から天ケース３を該底ケース２に外側嵌合する。
【００１４】
この場合は該天ケース３の折返し９は該底ケース２の折返し５の外側を擦過し、該底ケース２は該天ケース３内側に略すっぽりと収まる状態となる。この状態で該天ケース３のフラップ７によって開口部６を閉じ、ガムテープ１８等によって固定し、更に下端においてガムテープ１８により該底ケース２と該天ケース３とを固定する。
【００１５】
このように分解した簡易便器１１は縮小状態の梱包箱１に梱包され、コンパクトな状態で例えば組立工場に送られる。
組立工場においてはガムテープ１８をはがして該天ケース３を該底ケース２より取はずして該底ケース２から分解状態の簡易便器１１を取出し組立てる。該天ケース３を該底ケース２より取はずす場合には、該天ケース３の切込み１０を手掛りとして引上げる。
【００１６】
該簡易便器１１を組立て、梱包する場合には、該簡易便器１１を底ケース２内に設置し、その上からフラップ７を開いた状態で天ケース３を被せ、該底ケース２に外側嵌合する。この際該天ケース３は図６に示すように底ケース２の外側に略すっぽり嵌合し、該簡易便器１１のアームレスト１３や背もたれ１４が該天ケース３の上端開口部６から上にはみ出した状態とする。それから該天ケース３を切込み１０を手掛りとして上へ引上げると該天ケース３の折返し９が該底ケース２の折返し５に係合し、該天ケース３が該底ケース２から抜け出せないように係止される。
【００１７】
この状態で図７に示すように天ケース３の上端開口部６をフラップ７で閉鎖状態とし、ガムテープ１８で固定する。更に所望ならばガムテープ１８によって底ケース２と天ケース３とを固定する。
【００１８】
上記したように簡易便器１１組立て状態では伸長状態の梱包箱１によって梱包され、例えば販売店あるいはユーザーに直接送る。更に本発明の梱包箱１から該簡易便器１１を取出す時には、該梱包箱１の天ケース３の上端開口部６を開き、該天ケース３を下に降ろして図６の状態とすれば、該簡易便器１１は上から容易に取出すことが出来る。
【００１９】
このように本発明の梱包箱１は、梱包対象の物品の大きさに応じて伸縮させることが出来、またもともと底ケース２と天ケース３とは別体であるので切離すことは必要でなく、物品出入れの際にも非破壊的に分離出来るから、再使用することが出来る。
【００２０】
本実施例以外、本発明の梱包箱１は冷蔵庫、電子レンジ、洗濯機、机、椅子、収納箱等の種々な物品の包装に使用出来る。
【産業上の利用可能性】
【００２１】
本発明の梱包箱は縮小状態と伸長状態との二つの態様と採ることが出来、大型な物品でも小型の物品でも、あるいは分解状態の物品でもコンパクトに梱包し、保管あるいは運送することが出来る。
【図面の簡単な説明】
【００２２】
図１〜図７は本発明の一実施例を示すものである。
【図１】梱包箱分離状態斜視図
【図２】簡易便器（物品）斜視図
【図３】簡易便器分解状態斜視図
【図４】簡易便器を分解状態で梱包する場合の説明図
【図５】簡易便器を分解状態して梱包した状態の正面切欠き図
【図６】簡易便器を組立て状態で梱包する場合の説明図
【図７】簡易便器を組立て、梱包した状態の正面切欠き図
【符号の説明】
【００２３】
１        梱包箱
２        底ケースト
３        天ケース
４，６，８開口部
５，９    折返し
７        フラップ（開閉蓋）
１０      切込み
１１      簡易便器（物品）
１２      本体（簡易便器）
１３      アームレスト
１４      背もたれ
１５      脚部
１６，１７包装材
１８      ガムテープ
【図１】
2006306411.tif 000003
【図２】
2006306411.tif 000004
【図３】
2006306411.tif 000005
【図４】
2006306411.tif 000006
【図５】
2006306411.tif 000007
【図６】
2006306411.tif 000008
【図７】
2006306411.tif 000009